(57)【要約】【課題】  ３つ以上のコイン払出ユニットを横並びに配設した場合でも、コインの誤投入を確実に防止することができる自動販売機のコイン払出装置を提供する。【解決手段】  １つ分のコイン払出ユニット１３の投入開口部１５ａを閉鎖するスライド蓋２０を、コイン払出ユニット１３の数よりも１つ少ない数だけ設けるとともに、これらのスライド蓋２０を、全てのコイン払出ユニット１３の投入開口部１５ａを覆うように跨る同一のスライド面内で、互いに横方向に干渉する状態でスライド自在に並べて配設した。これにより、全ての投入開口部１５ａが設けられているスライド面内において、常に、１つ分の投入開口部１５ａだけが開いて、他の部分はスライド蓋２０により覆われることになり、この結果、コインの誤投入を防止することができる。【選択図】    図４
2005025716.tif 000002
【特許請求の範囲】
【請求項１】
コイン補充用の投入開口部を有するコイン収容部からコインを１枚ずつ払い出す少なくとも３つのコイン払出ユニットを、前記投入開口部が互いに同様寸法となるように設定するとともに、その投入開口部が横並びになるように配設し、
１つ分のコイン払出ユニットの投入開口部を閉鎖するスライド蓋を、コイン払出ユニットの数よりも１つ少ない数だけ設けるとともに、これらのスライド蓋を、全てのコイン払出ユニットの投入開口部を覆うように跨る同一のスライド面内で、互いに横方向に干渉する状態でスライド自在に並べて配設したことを特徴とする自動販売機のコイン払出装置。
【請求項２】
錠つきの全体カバーを、スライド蓋のスライド面を覆う姿勢で開閉自在に取り付けたことを特徴とする請求項１に記載の自動販売機のコイン払出装置。
【請求項３】
所定位置の１つの投入開口部を覆って閉鎖する錠つきのカバーを、隣接するスライド蓋に対して横方向に干渉する姿勢で開閉自在に取り付けたことを特徴とする請求項１に記載の自動販売機のコイン払出装置。
【発明の詳細な説明】
【技術分野】
【０００１】
本発明は自動販売機のコイン払出装置に関する。
【背景技術】
【０００２】
自動販売機においては、上部にコインを収容するホッパ状のコイン収容部を有し、このコイン収容部から釣銭用コインを１枚ずつ払い出すコイン払出ユニットを複数備えたものがあり、例えば、１０円硬貨と１００円硬貨との２種類の硬貨を扱う場合には、２つのコイン払出ユニットを横並びに配設している。このように複数のコイン払出ユニットを横並びに配設しているコイン払出装置においては、誤って異なる種類のコインをコイン収容部に補充してしまうと、誤った種類のコインが払い出される可能性があるだけでなく、コイン詰まりを生じて、コイン払出ユニット自体が故障してしまうことがある。
【０００３】
これに対処するものとして、２つのコイン払出ユニットを横並びに配設している構造を有する特許文献１には、第１（例えば左側）のコイン払出ユニットにおけるコイン収容部のコイン補充用の投入開口部と、第２（例えば右側）のコイン払出ユニットにおけるコイン収容部の投入開口部との間に、左右に切り換えて揺動する補助板を取付け、この補助版を左右何れかに倒すことにより、一方のコイン収容部の投入開口部だけを開口させて、他方の投入開口部に誤った種類のコインを入れることを防止した構成が開示されている。
【０００４】
また、同様に２つのコイン払出ユニットを横並びに配設している構造を有する特許文献２には、１つ分のコイン収容部の投入開口部を覆うことが可能なスライド蓋を上下に２枚重ねた状態でそれぞれ左右にスライド自在に配置し、一方の（例えば左側の）コイン払出ユニットのコイン収容部にコインを補充する際には、スライド蓋を２枚とも他方の（例えば右側の）投入開口部の上になるようにスライドさせて寄せるなどして、他方の投入開口部を閉じ、この他方の投入開口部に誤ってコインが投入されることを防止した構成が開示されている。
【特許文献１】特開平８−１５３２３８号公報
【特許文献２】実開昭５８−１５５０６６号公報
【発明の開示】
【発明が解決しようとする課題】
【０００５】
しかしながら、上記特許文献１に開示された従来のコイン払出装置では、補助板を左右に切り換えて揺動させる構造であるので、２つのコイン払出ユニットを横並びに配設した構造には適用できるが、３つ以上のコイン払出ユニットを横並びに配設した構造には適用できない。また、特許文献２の構造を利用して、１つのコイン収容部の投入開口部を閉じるスライド蓋を上下に３枚重ねて配設することは可能であるが、この構成では２つのコイン収容部の投入開口部が開いてしまう場合があるため、コインの誤投入を確実には防止することができない。
【０００６】
本発明は上記課題を解決するもので、３つ以上のコイン払出ユニットを横並びに配設した場合でも、コインの誤投入を確実に防止することができる自動販売機のコイン払出装置を提供することを目的とするものである。
【課題を解決するための手段】
【０００７】
上記課題を解決するために本発明の請求項１記載の自動販売機のコイン払出装置は、コイン補充用の投入開口部を有するコイン収容部からコインを１枚ずつ払い出す少なくとも３つのコイン払出ユニットを、前記投入開口部が互いに同様寸法となるように設定するとともに、その投入開口部が横並びになるように配設し、１つ分のコイン払出ユニットの投入開口部を閉鎖するスライド蓋を、コイン払出ユニットの数よりも１つ少ない数だけ設けるとともに、これらのスライド蓋を、全てのコイン払出ユニットの投入開口部を覆うように跨る同一のスライド面内で、互いに横方向に干渉する状態でスライド自在に並べて配設したことを特徴とする。
【０００８】
この構成により、全ての投入開口部が設けられているスライド面内において、常に、１つ分の投入開口部だけが開いて、他の部分はスライド蓋により覆われることになり、この結果、コインの誤投入を防止することができる。
【０００９】
また、請求項２記載の発明は、請求項１に記載の自動販売機のコイン払出装置において、錠つきの全体カバーを、スライド蓋のスライド面を覆う姿勢で開閉自在に取り付けたことを特徴とする。
【００１０】
この構成により、全体カバーを閉じて錠をすることで、全てのコイン払出ユニットの投入開口部を確実に閉じることができる。
また、請求項３記載の発明は、請求項１に記載の自動販売機のコイン払出装置において、所定位置の１つの投入開口部を覆って閉鎖する錠つきのカバーを、隣接するスライド蓋に対して横方向に干渉する姿勢で開閉自在に取り付けたことを特徴とする。
【００１１】
この構成により、カバーを閉じて錠をすることで、このカバーによりその投入開口部が覆われるとともに、スライド蓋が横方向にスライドすることが阻止されるので、残りの投入開口部も位置規制されたスライド蓋で覆われ、この結果、全てのコイン払出ユニットの投入開口部を閉じることができる。
【発明の効果】
【００１２】
以上のように本発明によれば、コイン払出ユニットの投入開口部が３つ以上並べて配設されている場合でも、１つ分のコイン払出ユニットの投入開口部を閉鎖するスライド蓋を、コイン払出ユニットの数よりも１つ少ない数だけ設けるとともに、これらのスライド蓋を、全てのコイン払出ユニットの投入開口部を覆うように跨る同一のスライド面内で、互いに横方向に干渉する状態でスライド自在に並べて配設したことにより、全ての投入開口部が設けられているスライド面内において、常に、１つ分の投入開口部だけが開いて、他の部分はスライド蓋により覆われることになり、この結果、コインの誤投入を確実に防止することができる。また、極めて簡単な構成であるので、製造コストの増加を最小限に抑えることができる。
【００１３】
また、錠つきの全体カバーを、スライド蓋のスライド面を覆う姿勢で開閉自在に取り付けることにより、全てのコイン払出ユニットの投入開口部を確実に閉じることができる。しかも、複数のスライド蓋は同一スライド面内に配設されているので、上下方向にも嵩張らず、収納スペースも最小限で済んで、全体カバーにより、スライド蓋に極めて接近した姿勢で良好に覆うことができる。
【００１４】
また、所定位置の１つの投入開口部を覆って閉鎖する錠つきのカバーを、隣接するスライド蓋に対して横方向に干渉する姿勢で開閉自在に取り付けることにより、全てのコイン払出ユニットの投入開口部を確実に閉じることができながら、カバーとして上記のような全体カバーよりも小さい部品で済ますことができるので、その分だけ材料コストを低減でき、また、収納スペースも小さくできる。
【発明を実施するための最良の形態】
【００１５】
以下、本発明の実施の形態について、図１〜図１３を用いて説明する。
この実施の形態における自動販売機は、食券などの券を販売するタイプの、いわゆる券売機である。なお、券売機以外の自動販売機にも適用できる。図１（ａ）、（ｂ）に示すように、自動販売機は、自動販売機本体１と、この自動販売機本体１の全面に開閉自在に取り付けられた前面扉２とから構成されている。前面扉２の上部には、商品（商品に対応する食券）などを選択する複数の選択押釦３が縦横に複数列配設され、前面扉２の略中央部には、食券やつり銭が払い出される取出口４が形成され、前面扉２の上端部には、コインや紙幣を投入するコイン投入口５や紙幣投入口６、貨幣の返却指示を行うための返却レバー７、投入金額などを表示する表示部８などが設けられている。
【００１６】
図２〜図７に示すように、本発明の実施の形態にかかるコイン払出装置１０は、自動販売機本体１に内蔵されており、自動販売機本体１には、コイン投入口５からのコインをその種類別に振り分けるコイン選別機１１や、コイン投入口５に投入されたコインをコイン選別機１１に案内するコインガイド１２も内蔵され、コイン選別機１１により選別されたコインが、複数のコイン導入通路１４ａ〜１４ｄ（図４（ｂ）参照）を介して、コイン払出装置１０に設けられた複数のコイン払出ユニット１３（１３Ａ〜１３Ｄ）に振り分けられて導入されるようになっている。この実施の形態においては、４台のコイン払出ユニット１３（１３Ａ〜１３Ｄ）が備えられ、１０円玉、５０円玉、１００円玉、５００円玉の４種類の釣銭用コインを各コイン払出ユニット１３から払い出すように構成されている。
【００１７】
各コイン払出ユニット１３の上部には、コインを収容するコインホッパ部１５およびこのコインホッパ部１５に続くコイン収容部１６が設けられている。そして、コインホッパ部１５の上面にはコインを補給するための矩形の投入開口部１５ａが形成されている。また、コイン収容部１６の下方にはコイン収容部１６からのコインを１枚ずつコイン払出口１７へ払い出すコイン払出機構１８（図６（ｂ）参照）が設けられている。
【００１８】
ここで、４つのコイン払出ユニット１３は、その各投入開口部１５ａがそれぞれ同様な開口寸法とされ、これら４つの投入開口部１５ａが横方向に並ぶようにコイン払出ユニット１３が配設されている。そして、１つ分のコイン払出ユニット１３の投入開口部１５ａと同じ面積のスライド蓋２０が、コイン払出ユニット１３の数よりも１つ少ない数、すなわち、この実施の形態では３枚だけ設けられているとともに、これらのスライド蓋２０が、全てのコイン払出ユニット１３の投入開口部１５ａを覆うように跨る同一のスライド面内で、互いに横方向に干渉する状態でスライド自在に並べて配設されている。なお、図３（ａ）における１９は、スライド蓋２０を横方向にスライド自在に支持するスライド枠である。また、スライド蓋２０は透明な材料が用いられて、コインホッパ部１５およびコイン収容部１６内のコインの量を容易に視認できるようになっている。
【００１９】
また、これらのスライド蓋２０のスライド面全体を直上から覆う姿勢で、錠２２が取り付けられた全体カバー２１が開閉自在に組付けられている。この全体カバー２１は、前記スライド面の直上箇所前端部に配置された回転軸２１ａを中心に手前側に回動自在とされ、全体カバー２１の奥端部に設けられた上延壁の一部に、錠２２が取り付けられ、全体カバー２１を閉じた状態で施錠することにより、錠２２から後方に突出する凸部２２ａが、コイン払出装置１０の後部枠に設けた孔部に係合して、全体カバー２１が開けられることを阻止している。さらに、全体カバー２１の裏面における回転軸２１ａの近傍箇所には、各投入開口部１５ａに対応して、コインの種類を記入した種類表示板２３が貼り付けられており、コイン補充時に補充位置を案内するようになっている。
【００２０】
また、図３に示すように、これらのコイン払出ユニット１３の前方には、全てのコインホッパ部１５およびコイン払出ユニット１３の前面側を覆う前カバー２４が取り付けられているとともに、この前面カバーの裏面には、各コイン払出ユニット１３からのコインを個別に案内する通路が一体的に形成されている切換ガイド２７が取り付けられている。この切換ガイド２７は、図示しないソレノイドにより支点２７ａを中心に２つの回動姿勢に切り換え自在とされ、各コイン払出ユニット１３から払い出されたコインを、傾斜樋２５ａを介して、各コイン払出ユニット１３の下方に配設した集金箱２５に回収させる姿勢（図３（ａ）における実線部参照）と、前面扉２の裏面に取り付けられて取出口４に連通する排出樋２６に払い出させる姿勢（図３（ａ）における仮想線参照）とに切り換えて案内する。
【００２１】
なお、図６（ａ）、図７（ａ），（ｂ）に示すように、各コイン払出ユニット１３のコイン払出口１７には、コインが立った状態で払い出されることを阻止する払出口カバー１７ａ〜１７ｄが揺動自在に取り付けられている。ここで、１０円玉、５０円玉、１００円玉の各コインは、その質量があまり大きくないため、図７（ａ）に示すように、これらに対応するコイン払出ユニット１３Ｂ、１３Ｃ、１３Ｄのコイン払出口１７に設けられた払出口カバー１７ｂ、１７ｃ、１７ｄは、単に上端において枢支され下端が下方に真っ直ぐ延設されて、その自重で単に揺動する形状とされている。一方、５００円玉についてはその質量が比較的大きいため、上記と同様な構造であると、コイン払出口１７で５００円玉が立ったままの状態で切換ガイド２７に流れ込もうとして、コイン詰まりを生じる場合がある。したがって、５００円玉のコイン払出ユニット１３Ａのコイン払出口１７に設けられた払出口カバー１７ａについては、図７（ｂ）に示すように、その下端部が斜め上方に屈曲された形状とされ、万一、５００円玉が立ったままの姿勢でコイン払出口１７を流れ落ちようとして、払出口カバー１７ａを押し上げようとした場合には、払出口カバー１７ａの先端が、図７（ｂ）において実線で示すように、切換ガイド２７に当接して、所定寸法以上は払出口カバー１７ａが開かず、この結果、５００円玉のコインが必ず寝た姿勢で切換ガイド２７側に排出されてコイン詰まりを防止するようになっている。
【００２２】
また、図３（ｂ）に示すように、コイン払出装置１０の一側部には、コイン選別機１１により不良と判定されたコインを導入して排出樋２６に払い出す不良コイン払出通路２８ａ，２８ｂ，２８ｃが設けられている。
【００２３】
上記構成において、コインを補給する時には、前面扉２を開けた状態で、コイン払出装置１０の全体カバー２１の錠２２に鍵を差し込んで回動させ、錠２２の凸部２２ａを孔部１０ａから離脱させる。そして、図５において仮想線で示すように、全体カバー２１を開ける。そして、この状態で、補充するコインの種類の投入開口部１５ａだけが開くように、スライド蓋２０を横にスライドさせる。これにより、図４（ａ），（ｂ）などに示すように、常に、１つ分の投入開口部１５ａだけが開いて、他の部分はスライド蓋２０により覆われるので、コインの誤投入を確実に防止しながら、良好にコインを補充することができる。なお、コインの補充が終了した場合は、全体カバー２１を閉じて錠２２をする。
【００２４】
このように、投入開口部１５ａが多数（この実施の形態では４つ）ある場合でも、簡単な構成により、コインの誤投入を確実に防止することができる。また、全体カバー２１を閉じて錠２２をすることで、全てのコイン払出ユニット１３の投入開口部１５ａを確実に閉じることができる。しかも、３つのスライド蓋２０は同一スライド面内に配設されているので、上下方向にも嵩張らず、収納スペースも最小限で済んで、全体カバー２１によっても、スライド蓋２０に極めて接近した姿勢で良好に覆うことができる。さらに、極めて簡単な構成であるので、製造コストの増加を最小限に抑えることができる。
【００２５】
次に、図８〜図１０を参照しながら、本発明の他の実施の形態について説明する。
前記実施の形態においては、スライド蓋２０のスライド面全体を直上から覆う姿勢で、全体カバー２１を開閉自在に組付けていたが、この実施の形態では、全体カバー２１に代えて、所定位置の投入開口部１５ａ、例えば、図８〜図１０に示すように、向かって左端の投入開口部１５ａ’を覆って閉鎖する錠２２つきのカバー３０を、隣接するスライド蓋２０に対して横方向に干渉する姿勢で開閉自在に取り付けている。
【００２６】
このカバー３０は、前記左端の投入開口部１５ａ’の左横箇所に配置された回転軸３１を中心に側方に回動自在とされ、カバー３０の奥部に錠３２が取り付けられ、カバー３０を閉じた状態で施錠することにより、錠３２から後方に突出するレバー３２ａが、コイン払出装置１０の後部枠に設けた孔部に嵌り込んで、カバー３０が開けられることを阻止している。また、カバー３０は、前記左端の投入開口部１５ａ’にスライド蓋２０がない状態でのみ、支障なく閉じることができるように配設され、カバー３０が閉じられた際には、前記投入開口部１５ａ’にカバー３０が嵌り込んで、隣接するスライド蓋２０をこのカバー３０がある箇所にスライドさせようとしても、このカバー３０に当接して干渉し、この結果、全てのスライド蓋２０のスライド動作が行えないようになっている。なお、３０ａは、カバー３０を開閉する際に指を差し入れるための孔である。
【００２７】
この構成によれば、コインの補給を終えた際には、全てのスライド蓋２０を前記投入開口部１５ａ’よりも向かって右側の位置にスライドさせて、カバー３０を閉じて錠３２をする。これにより、前記カバー３０によりその投入開口部１５ａ’が覆われるとともに、スライド蓋２０が横方向（この場合には向かって左側）にスライドすることが阻止される。したがって、残りの投入開口部１５ａも位置規制されたスライド蓋２０で覆われ、この結果、全てのコイン払出ユニット１３の投入開口部１５ａを閉じることができる。
【００２８】
また、この構成によれば、カバー３０として、１つの投入開口部１５ａ’を覆うだけの大きさの部材を用いればよくなり、上記実施の形態において用いていた全体カバー２１よりも小さい部品で済むので、その分だけ材料コストを低減できる。さらに、カバー３０を閉じた際には、投入開口部１５ａ’の位置にカバー３０が配設されるので、全体カバー２１を設ける場合よりも収納スペースを小さくできる利点もある。
【００２９】
また、コインの補給を行う際には、カバー３０を開くことで、投入開口部１５ａ’があくので、スライド蓋２０を横方向にスライドさせることにより、何れか１つの投入開口部１５ａ、１５ａ’だけをあけた状態にすることができて、必要な種類のコインを確実に補給できる。
【００３０】
なお、この実施の形態では、カバー３０により向かって左端の投入開口部１５ａ’を覆って閉鎖する場合を述べたが、これに限るものではなく、他の１つの投入開口部１５ａを覆って閉鎖するように構成してもよい。なお、例えば、図１１〜図１３に示すように、中間部に位置する投入開口部１５ａ”を覆う場合には、スライド蓋２０の左右のスライド動作に支障をきたさないように、カバー３０を回転させる際の中心となる回転軸３３を、スライド蓋２０のスライド部分よりも手前側に配置したり、奥側（図示せず）に配置したりするとよい。
【００３１】
さらに、上記各実施の形態では、コイン払出ユニット１３の投入開口部１５ａが４つである場合を述べたがこれに限るものではなく、コイン払出ユニット１３の投入開口部１５ａが３つである場合や５以上である場合でも、それより１つ少ないスライド蓋２０を同一スライド面内において、互いに横方向に干渉する状態でスライド自在に並べて配設することで対応できる。
【図面の簡単な説明】
【００３２】
【図１】（ａ）および（ｂ）は本発明の実施の形態にかかる自動販売機の正面図および側面図である。
【図２】同自動販売機のコイン払出装置の斜視図である。
【図３】（ａ）および（ｂ）はそれぞれ同コイン払出装置およびその近傍箇所の側面断面図である。
【図４】（ａ）および（ｂ）はそれぞれ同コイン払出装置のコインホッパ部およびその近傍箇所の平面図および正面断面図である。
【図５】同コイン払出装置コインホッパ部およびその近傍箇所の側面断面図である。
【図６】（ａ）および（ｂ）はそれぞれ同コイン払出装置のコイン払出ユニットの概略的な正面図および側面断面図である。
【図７】（ａ）および（ｂ）はそれぞれ同コイン払出装置のコイン払出口およびその近傍の側面断面図であり、（ａ）は１０円玉、５０円玉、１００円玉のコイン払出ユニットの箇所を示し、（ｂ）は５００円玉のコイン払出ユニットの箇所を示す。
【図８】本発明の他の実施の形態にかかる自動販売機のコイン払出装置の斜視図である。
【図９】（ａ）および（ｂ）はそれぞれ同コイン払出装置のコインホッパ部およびその近傍箇所の平面図および正面断面図である。
【図１０】（ａ）および（ｂ）はそれぞれ同コイン払出装置のコイン払出ユニットの概略的な正面図および側面断面図である。
【図１１】本発明のその他の実施の形態にかかる自動販売機のコイン払出装置の斜視図である。
【図１２】（ａ）および（ｂ）はそれぞれ同コイン払出装置のコインホッパ部およびその近傍箇所の平面図および正面断面図である。
【図１３】（ａ）および（ｂ）はそれぞれ同コイン払出装置のコイン払出ユニットの概略的な正面図および側面断面図である。
【符号の説明】
【００３３】
１０      コイン払出装置
１１      コイン選別機
１３      コイン払出ユニット
１５      コインホッパ部
１６      コイン収容部
１５ａ    投入開口部
１９      スライド枠
２０      スライド蓋
２１      全体カバー
２１ａ、３１、３３    回転軸
２２、３２    錠
２３      種類表示板
３０      カバー
【図１】
2005025716.tif 000003
【図２】
2005025716.tif 000004
【図３】
2005025716.tif 000005
【図４】
2005025716.tif 000006
【図５】
2005025716.tif 000007
【図６】
2005025716.tif 000008
【図７】
2005025716.tif 000009
【図８】
2005025716.tif 000010
【図９】
2005025716.tif 000011
【図１０】
2005025716.tif 000012
【図１１】
2005025716.tif 000013
【図１２】
2005025716.tif 000014
【図１３】
2005025716.tif 000015